(57)【要約】【課題】針本体を被覆する被覆姿勢に位置させるにあたり、外部からの作用により針本体が露出する可能性を極力少なくし注射器の安全性を確実にすると共に、針部の構造が簡易な注射器を提供する。【解決手段】被覆部材９は、針本体７を被覆する被覆姿勢から露出する露出姿勢に至って移動自在に設けられ、被覆姿勢では、被覆部材９の凸部９ａが針基８の凹部８ｄに没入して姿勢維持がなされるため、被覆姿勢の被覆部材に外部から負荷が掛かったとしても、凸部が凹部８ｄから抜け出すことはなく安全性の高い注射器１とすることができる。【選択図】図２
2007319249.tif 000002
【特許請求の範囲】
【請求項１】
カートリッジを内装できる筒状のバレルと、該バレルの先端部に着脱自在に取付けられる針部と、バレルの基端部に設けられる指掛け部と、該指掛け部を貫通して移動自在に設けられ、前記内装したカートリッジの底面部を押圧するためのピストンとを備え、
前記針部を、針本体と、該針本体が貫通して設けられ、バレル先端部への取付け機構が形成された針基とを備えて構成してなる注射器において、
前記針本体を被覆する被覆姿勢で針基に支持される被覆部材を、該被覆姿勢とバレル側に移動して針本体が露出する露出姿勢とに移動自在に構成するにあたり、
針基外周面には凹部が形成され、
被覆部材内周面には、前記凹部に外側から没入して被覆姿勢に支持される凸部が形成されたものとし、
該凸部は、針基がバレルに取付けられた状態で被覆部材をバレル基端部側に無理押しされることで外側に偏倚して凹部から抜出て被覆部材の露出姿勢への移動を可能とし、被覆部材が露出姿勢から被覆姿勢に移動したときには凹部に外側から没入する姿勢に復帰するように構成されていることを特徴とする注射器。
【請求項２】
請求項１において、凹部は、被覆部材の針本体先端側への抜け出しを防止する抜け止め部を有することを特徴とする注射器。
【請求項３】
請求項２において、抜け止め部は、被覆部材の径に対応して形成されていると共に、針基の最も外方に突出した部分であることを特徴とする注射器。
【請求項４】
請求項１乃至３の何れか一つにおいて、凹部は、針基の周回りに複数並設していることを特徴とする注射器。
【請求項５】
請求項１乃至４の何れか一つにおいて、針基は、先端から徐々に太径になり前記抜け止め部に至る先部を有することを特徴とする注射器。
【請求項６】
請求項１乃至５の何れか一つにおいて、被覆部材は、凸部をバレルに押圧して針本体を露出する露出姿勢を維持することを特徴とする注射器。
【請求項７】
請求項１乃至６の何れか一つにおいて、凸部は、径方向に対向して複数設けられていることを特徴とする注射器。
【請求項８】
請求項１乃至７の何れか一つにおいて、被覆部材は、凸部の被覆部材の外方への移動を容易にするための穴部を備えられることを特徴とする注射器。
【請求項９】
請求項１乃至８の何れか一つにおいて、被覆部材は、指掛け部に係止され露出姿勢を維持することを特徴とする注射器。
【請求項１０】
請求項１乃至９の何れか一つにおいて、注射器は、被覆部材を被覆姿勢側に付勢する付勢部材を備えることを特徴とする注射器。
【発明の詳細な説明】
【技術分野】
【０００１】
本発明は、注射針の安全な取り扱いを図る医療用、特に歯科麻酔用の注射器の技術分野に属するものである。
【背景技術】
【０００２】
従来から医療現場や注射器の処理現場等において針に誤って接触したり、針を穿刺することにより病原菌に感染して肝炎やエイズを発症するといった問題がある。
そして感染や汚染を防止する安全性の観点から、この種注射器は、針部を使用する度に新しいものに交換し、使用済みの針部は、針本体や体液等に触れないようにバレルから取り外し処理施設まで移送され滅菌処理することが求められている。
そこで、針本体を先端側と基端側とから被覆するコーン状の２部材で被覆部材を構成したものがある（例えば、特許文献１参照。）。このものは、針基のバレルへの着脱を、基端側から被覆する被覆部材が着いた状態のまま行うことにより、使用済みの針部に触れないようにしたものであるが、注射器を使用しているあいだ被覆部材を取り外した上、保管しておく必要があり、取り扱いが面倒である。
取り扱いの容易なものとして、被覆部材を、針部に移動自在に組み付けて、針本体を被覆する被覆姿勢から露出する露出姿勢に至って移動できるようにしたものがある（例えば、特許文献２参照。）。
【特許文献１】特開２０００−１０７２９１号公報
【特許文献２】特開平６−１５４３２８号公報
【発明の開示】
【発明が解決しようとする課題】
【０００３】
しかしこのものは、針本体を被覆する被覆姿勢に位置させるにあたり、針部から外方に突出して形成された凸部が被覆部材に形成された貫通孔を貫通して係止されるが、外部から突起部を押し込むような力が作用すると突起部が貫通孔から係止解除され、針本体が露出する可能性があり危険であるといった問題がある。針部の構造が複雑であるため針部を形成することが難しいという問題がさらに有り、ここに本発明が解決しようとする課題がある。
【課題を解決するための手段】
【０００４】
本発明は、上記の如き実情に鑑みこれらの課題を解決することを目的として創作されたものであって、請求項１の発明は、カートリッジを内装できる筒状のバレルと、該バレルの先端部に着脱自在に取付けられる針部と、バレルの基端部に設けられる指掛け部と、該指掛け部を貫通して移動自在に設けられ、前記内装したカートリッジの底面部を押圧するためのピストンとを備え、前記針部を、針本体と、該針本体が貫通して設けられ、バレル先端部への取付け機構が形成された針基とを備えて構成してなる注射器において、前記針本体を被覆する被覆姿勢で針基に支持される被覆部材を、該被覆姿勢とバレル側に移動して針本体が露出する露出姿勢とに移動自在に構成するにあたり、針基外周面には凹部が形成され、被覆部材内周面には、前記凹部に外側から没入して被覆姿勢に支持される凸部が形成されたものとし、該凸部は、針基がバレルに取付けられた状態で被覆部材をバレル基端部側に無理押しされることで外側に偏倚して凹部から抜出て被覆部材の露出姿勢への移動を可能とし、被覆部材が露出姿勢から被覆姿勢に移動したときには凹部に外側から没入する姿勢に復帰するように構成されていることを特徴とする注射器である。
請求項２の発明は、請求項１において、凹部は、被覆部材の針本体先端側への抜け出しを防止する抜け止め部を有することを特徴とする注射器である。
請求項３の発明は、請求項２において、抜け止め部は、被覆部材の径に対応して形成されていると共に、針基の最も外方に突出した部分であることを特徴とする注射器である。
請求項４の発明は、請求項１乃至３の何れか一つにおいて、凹部は、針基の周回りに複数並設していることを特徴とする注射器である。
請求項５の発明は、請求項１乃至４の何れか一つにおいて、針基は、先端から徐々に太径になり前記抜け止め部に至る先部を有することを特徴とする注射器である。
請求項６の発明は、請求項１乃至５の何れか一つにおいて、被覆部材は、凸部をバレルに押圧して針本体を露出する露出姿勢を維持することを特徴とする注射器である。
請求項７の発明は、請求項１乃至６の何れか一つにおいて、凸部は、径方向に対向して複数設けられていることを特徴とする注射器である。
請求項８の発明は、請求項１乃至７の何れか一つにおいて、被覆部材は、凸部の被覆部材の外方への移動を容易にするための穴部を備えられることを特徴とする注射器である。
請求項９の発明は、請求項１乃至８の何れか一つにおいて、被覆部材は、指掛け部に係止され露出姿勢を維持することを特徴とする注射器である。
請求項１０の発明は、請求項１乃至９の何れか一つにおいて、注射器は、被覆部材を被覆姿勢側に付勢する付勢部材を備えることを特徴とする注射器である。
【発明の効果】
【０００５】
請求項１の発明とすることにより、被覆姿勢の被覆部材に外部から負荷が掛かったとしても、被覆部材の凸部が針基の凹部から抜け出すことはなく安全性の高い注射器とすることができる。また、従来のものと比較して針基、被覆部材の構造が単純なものであるため、注射器の製造が容易になる。
請求項２の発明とすることにより、確実に被覆部材の抜け止めをすることができるため、安全を担保した注射針とすることができる。
請求項３の発明とすることにより、凸部が抜け止め部に確実に当接するため、被覆部材の抜け止めをすることができる。
請求項４の発明とすることにより、露出姿勢側から被覆姿勢側に移動する凸部が針基の凹部と位置ズレして没入しなかった場合でも、針基に対して被覆部材を回動させることにより、隣接の凹部に没入させることができるため、例えば、凹部にうまく没入しない状態の凸部は、バレルから針部を取り外す作動である被覆部材の回動作動に伴って隣接の凹部に没入させることができ、さらに被覆部材を回動させると針部をバレルから取り外すことができる。
請求項５の発明とすることにより、被覆部材を、針基の先端側から無理押し込み状に組み込むことで針部を製造することができるため、注射器の製造が容易になる。
請求項６の発明とすることにより、簡易な方法で露出姿勢を維持することで安全に使用できるものであり、かつ製造も容易な構成である。
請求項７の発明とすることにより、確実に被覆部材を露出姿勢に維持することができる。
請求項８の発明とすることにより、凸部の外方への移動範囲を広く設定すること可能であり、被覆部材を被覆姿勢から露出姿勢に容易に変姿させることができる。
請求項９の発明とすることにより、注射器を使用する際に、誤って被覆部材に触れてしまった場合でも、係止により確実に露出姿勢を維持することができるため、安全な使用を担保した注射針とすることができる。
請求項１０の発明とすることによって、前記係止が解除されると付勢部材による被覆姿勢側への付勢ｂにより、被覆部材を自動的に被覆姿勢に位置させることができる。
【発明を実施するための最良の形態】
【０００６】
次に、本発明の実施の形態について、図面に基づいて説明する。図面において、１は歯科医療用の注射器であって、該注射器１は、薬剤が封入されているカートリッジ２を内装できる円筒状のバレル３と、該バレル３の一端部に設けられるバレル側の指掛け部４と、該指掛け部４を貫通し、該貫通先端部が前記カートリッジ２の底面部に当接するピストン５と、バレル３の先端側に着脱自在に取り付けられる針部６とを備えて構成され、バレル側指掛け部４に２本の指（例えば人差し指と中指）を掛け、ピストン５の突出基端部に設けられるピストン側の指掛け部５ａに親指を掛けた状態で、該親指でピストン５を押し込むことにより、前記バレル３に内装したカートリッジ２の底面部がピストン先端部に押圧されて先端側に移動し、これによってカートリッジ２に封入される薬剤が針部６に設けられた針本体７から射出するようになっていること等は何れも従来通りである。
【０００７】
前記針部６は、針本体７を貫通支持した硬質樹脂製の針基８を有しているが、該針基８には、外方に突出した環状の先端側突出部８ａ（本発明の抜け止め部に相当する。）と、基端側突出部８ｂとが並設されており、該突出部８ａと突出部８ｂとの間隙を仕切るように仕切部８ｃ（本発明の規制部に該当する。）が複数形成されている。
８ｄは凹部であって、該凹部８ｄは、突出部８ａ、８ｂ、仕切部８ｃとから構成された凹みとして形成され、本実施の形態では、周回状に４つ設けられている。
【０００８】
９は、被覆部材であって、該被覆部材９は、針本体７を被覆した状態で前記針部６と一体となる被覆姿勢でバレル３に取り付けられ、該取り付け後、バレル３に沿って基端方向に移動させて針本体７を露出する露出姿勢にすることができる。
被覆部材９は、内周面から軸心方向に形成された凸部９ａを有しており、該凸部９ａが凹部８ｄに没入することによって被覆部材９を被覆姿勢に位置させている。尚、本実施の形態の凸部９ａは、対向して２つ形成されている。
因みに、被覆部材９は、被覆姿勢において、針基８から露出する先端側および基端側の針本体７を、被覆して外部から触れられないように軸方向の長さが設定されている。
【０００９】
前述したように被覆姿勢の被覆部材９と針部５とは、一体となってバレル３に取り付け、取り外しされるが、該針基８の基端には、バレル３の先端に取り付け、取り外しが可能な取付け機構８ｅが形成されており、被覆部材９を持って、針本体７を基端側からバレル３に挿入し針基８の基端をバレル３の先端に位置合わせした状態で、凸部９ａが仕切部８ｃに当接する状態の被覆部材９をさらに回動させることによりなされる。
ところで、被覆部材９は、樹脂材からなっており、凸部９ａを外方向（径方向）に偏寄させることができ、さらに本実施の形態では、凸部９ａの周辺に長穴９ｂを形成することによって、凸部９ａの偏寄し易い設定になっている。被覆姿勢の突起部９ａは、凹部８ｄに十分没入して被覆部材９の突起部９ａの外周面にあたる部分が被覆部材９の外周面に対して内側に凹むように設定されることが好ましいが、仮に前記部分が出っ張っていて指などが当たって負荷が掛かったとしても凸部９ａを外方に移動させる負荷でない限り、凸部９ａが凹部８ｄから抜け出すことはない。
【００１０】
そして、被覆姿勢の被覆部材９は、バレル３に取り付けられた状態で指掛け部材４の方向（基端方向）に移動させる力を加えると、凸部９ａが基端側突出部８ｂに当接しながら被覆部材９の弾性変形により外方に移動（偏寄）を促され前記突出部８ｂを乗り越えることることによって、凹部８ｄから抜け出る設定になっている。
【００１１】
該被覆部材９は、さらに基端方向に移動させる力を加えると指掛け部４に当接するまでバレル３の周面に沿って移動して針本体７が完全に露出する露出姿勢になる。該露出姿勢における凸部９ａは、被覆部材９の内方向に復帰する弾性力によりバレル３の周面を押圧しており、被覆部材９が簡単に移動しないようになっている。尚、本実施の形態のバレル３は、少なくとも自然状態（被覆部材９が何も内嵌していない状態）の凸部９ａの対向間よりも太径であり、凸部９ａがバレル３の周面上に位置していればどの位置でもバレル３を押圧することができるようになっている。また、バレル３は、露出姿勢時に凸部９ａが当接する付近のみ前記太径にすることもできる。
因みに、凸部９ａの軸方向の厚みは、少なくともバレル３と基端側突出部８ｂとの間にできる間隙Ｓよりも厚くして、該間隙Ｓに落ち込まないようにする必要がある。
【００１２】
バレル３は、カートリッジ２を入れ込むための入り口３ｃと、入れ込まれたカートリッジ２を押し出すために入り口３ｃに対向して設けられた押し口３ｄとを有しており、凸部９ａは、入り口３ｃ、押し口３ｄに嵌って軸方向の移動がしにくくなることを避けることが好ましいため、注射器１には、凸部９ａが入り口３ｃ、押し口３ｄを避けて移動させるための誘導機構が設けられている。
因みに、本実施の形態では、凸部９ａの一部が入り口３ｃの上を通過することになるが、入り口３ｃの先端や基端に触れる可能性はあるものの凸部９ａが弾性変形するので配は無い。心配であれば、凸部９ａのバレル摺接面を平面状にすればよい。
【００１３】
該誘導機構として、本実施の形態では、押し口３ｄの軸方向の縁部に外方に突起した突起部３ｅが列状に形成され、該突起部３ｅが被覆部材９に形成された溝孔部９ｃに嵌って被覆部材のバレル３に対する周回り方向の移動を規制するようになっている。突起部３ｅは、列状にしたり、軸方向に対して平行に形成したりする必要は無く、形成位置や範囲についても凸部９ａが入り口３ｃ、押し口３ｃに嵌らないように移動を誘導できればどのような構成でもよい。
誘導機構は、バレル３に対して針基８を回動して着脱することを考慮して、被覆部材９を、露出姿勢から被覆姿勢に至る直前まで誘導する設定になっている。つまり、被覆姿勢の被覆部材９は、基端が突起部３ｅよりも先端側に位置して回動させたときに突起部３ｅが邪魔にならないようになっている。
【００１４】
注射器１は、露出姿勢で使用されるが、使用後は、被覆部材９を、注射針７の先端側方向に移動させていき凸部９ａを凹部８ｄに没入させて被覆姿勢にする。
凹部８ｄの先端側突出部８ａは、被覆部材９の内周面と当接、または、わずかに間隔を存して対向するように設定されており、凸部９ａが突出部８ａに当接して、被覆部材９がこれ以上先端側に移動しないように抜け止めすることにより、確実に凹部８ｄに没入されるようになっている。因みに、凸部９ａが誘導機構の誘導を終え凹部８ｄに没入する前に、凸部９ａが位置ズレすることも考えられることから、凹部８ｄを周回方向に隣り合って複数設けると共に、前記突出部８ａを、基端側突出部８ｂ及び仕切部８ｃよりも外方向に突出（高く）させることが好ましく、例えば、凸部９ａが位置ズレして仕切部８ｃの上に乗ってしまった場合、仕切部８ｃより高い突出部８ａに当接して抜け止めることを防止し、さらに針基８の取り外し作動である被覆部材９の回動作動をしたときに周回状に設けられた凹部８ｄのどれかに没入させることができる。
【００１５】
そして、被覆姿勢の状態の針部６と被覆部材９とは、一体になったままバレル３から取り外され廃棄されることになる。
ところで、被覆部材９の針基８への取り付けは、針基８に被覆部材９を押し込んで凸部９ａが突出部８ａ、８ｂを乗り越えるように無理に押し込んでもよいが、本実施の形態では、針基８に、先端側突出部８ａから先端方向に向かって徐々に細径になる先部８ｆが形成されており、該先部８ｆに被覆部材９を、針基８の先端側から外嵌していくことによって、凸部９ａを、前記先部８ｆに沿って径方向外側に移動させることになって、容易に突出部８ａを乗り越えて凹部８ｄに係止させることになるため、組み込みが容易になる。
【００１６】
尚、本実施の形態の凹部８ｄは、囲繞状に仕切られたものとなっているが、係止姿勢において凸部９ａを係止できればこれに限られる必要はないことはいうまでもない。
【００１７】
叙述の如く構成された本発明の実施の形態において、被覆部材９は、針本体７を被覆する被覆姿勢から露出する露出姿勢に至って移動自在に設けられるが、被覆姿勢では、被覆部材９の凸部９ａが針基８の凹部８ｄに没入して姿勢維持されるため、被覆姿勢の被覆部材に外部から負荷が掛かったとしても、凸部が凹部８ｄから抜け出すことはなく安全性の高い注射器１とすることができる。また、従来のものと比較して針基８、被覆部材９の構造が単純なものであるため、注射器１の製造が容易になる。さらに針基８への被覆部材９の組み込みは、被覆部材９を針基８に先端側から押し込むだけでよいものであるから従来に比べて容易である。
【００１８】
凹部８ｄは、先端側突出部８ａを設けており、該先端側突出部８ａが凸部９ａを先端側に移動することを規制するため、被覆部材９の針基８先端側への抜け出しを防止することができる。また、先端側突出部８ａは、被覆部材９の周面と当接、または、わずかに間隔を存して対向するように設定されており、凸部９ａが突出部８ａに当接して、被覆部材９がこれ以上先端側に移動しないように抜け止めすることにより、確実に凹部８ｄに没入するように設定されている。さらに、仕切部８ｃは、突出部８ａ、８ｂの対向間に設けられており、被覆姿勢の凸部９ａの回動方向の移動を規制をするため、被覆部材９を回動させることで針基８をバレル３に取り付けることが可能になる。さらにまた、凹部８ｄは、針基８の周回り方向に複数併設されているため、凸部９ａは、位置ズレした場合であっても被覆部材９を回動させれば何れかの凹部８ｄに係止されるものとすることができる。
【００１９】
また、先部８ｅは、先端側突出部８ａから先端方向に向かって徐々に細径になっており、被覆部材９を針基８に組み込むにあたり、凸部９ａは、先端側突出部８ａを容易に乗り越えることができるため、組み込みを容易にすることができる。
さらに、対向する凸部９ａは、バレル３の周面を押圧する設定になっており、露出姿勢の被覆部材９がバレル３に対して簡単に移動しないようになっているため、針本体７を患者に刺し入れるときに邪魔にならない。
【００２０】
さらにまた、注射器１は、突起部３ｅと部６ｃとからなる誘導機構を有しており、該誘導機構は、凸部９ａを、入り口３ｃ、押し口３ｄを避けて移動させる共に、露出姿勢から係止姿勢に戻す場合に、凸部９ａを窪み部８ｄに係止されるよう位置合わせしながら凹部８ｄに係止される直前まで案内するため、被覆部材９を円滑に移動させることができる上、凸部９ａを被覆姿勢まで誘導することができる。
またさらに、凸部９ａは、径方向に対向して設けられており、被覆姿勢で針基８にしっかり係止され、露出姿勢でバレル３を軸心側にしっかり押圧することになって、被覆部材９の係止姿勢、露出姿勢の維持を確実にすることができる。さらに、凸部９ａの周辺に長穴９ｂを形成することによって、凸部９ａの径方向の移動範囲を広く許容することができる。
【００２１】
尚、本発明は前記実施の形態に限定されるものでないことは勿論であり、例えば図６に示される第二の実施の形態のようにしても実施することができる。このものにおいて、前記第一の実施の形態と同様のものについては同じ引出し符号を付してその詳細な説明を省略する。
本第二の実施の形態の注射器１０は、被覆部材１１を指掛け部１２に掛止めし露出姿勢の維持を確実にすると共に、被覆部材１１と指掛け部１２との間に弾機１３を設けて露出姿勢から当接姿勢への変姿を弾機１３の付勢力により行うようにしたものである。因みに、弾機１３は、本発明の付勢部材に該当する。また本実施の形態では、弾機１３の伸縮移動を考慮して第一の実施の形態の誘導機構を設けていない。
被覆部材１１には、基端部に外方に突出する掛け部１１ａが設けられる一方、指掛け部１２には、前記掛け部１１ａを掛止めする溝部１２ａが形成されている。
弾機１３は、指掛け部１２に一端を固着された状態で備えられており、他端が被覆部材１１に当接することによって、被覆部材１１を先端方向に付勢するように設けられている。
【００２２】
そして、被覆部材１１は、係止姿勢を解除されると弾機１３の付勢力に抗して露出姿勢に位置させるが、露出姿勢の維持は、掛け部１１ａを溝部１２ａに掛止めすることによってなされるため、第一の実施の形態のものに比べて確実に被覆部材１１を露出姿勢に維持することができるため、注射器１０を安心して使用することができる。注射器１０の使用後は、掛け部１１ａを溝部１２ａから掛止め解除して被覆部材１１を当接姿勢にするが、弾機１３の付勢力を受けて自動的に先端側に移動し係止姿勢になる。
尚、本実施の形態の弾機１３は、コイル弾機であるが、指掛け部１１に固着される基端側が太巻になった太巻部１３ａになっており、該太巻部１３ａが指掛け部１１に引っかかって固着されている。
因みに、注射器１０には、第一の実施の形態の誘導機構を設けていないが、設けることもできる。
【００２３】
また、本発明は図７に示す第三の実施の形態のように針基１４の基端側突出部１４ａに、基端方向が外方に高くなるような傾斜面１４ｂを設けることもできる。この結果、凸部１５ａは、傾斜面１４ｂに沿って外方に移動させて凹部１４ｃから容易に抜け出せることになって、被覆部材１５の係止解除を円滑に行えるものとすることができる。
【００２４】
また、図８に示す第四の実施の形態のように、使用されてバレル１６から取り外された針本体１７を再使用することを防止するために、被覆部材１８の凸部１８ａから軸方向に伸びる延出部１８ｂを設け、被覆部材１８をバレル１６から取り外すために回動をさせたときに、前記延出部１８ｂが位置する位置に対応する針基１９の先端側突出部１９ａに貫通孔１９ｂを形成し、使用済みの針本体１７を再度バレル１６に取り付けても凸部１８ａが貫通孔１９ｂに嵌って被覆部材１８が基端方向に抜け出せないように構成することができる。尚、本実施の形態の延出部１８ｂは、先端側のみに設けたが、基端側、又は先端、基端の両方に設け、針基１９の対応する位置に貫通孔を形成して構成することもできる。
【００２５】
さらに、第一の実施の形態の針基８の取付け機構８ｅは、２組の歯からなっており、該歯が雄螺子になって、バレル３に螺合するものであって、螺合できる所定の位置と該位置から針基８を１８０度反転させた位置の二ヶ所で螺合できるが、被覆部材９を露出姿勢側に移動させる場合、溝穴部９ｃが１つしか形成されていないため、結局、針基８は、所定の一ヶ所からしか取り付けることができない機構となっている。
そこで、図９に示す第五の実施の形態のように、第一の実施の形態の誘導機構に相当する溝穴部２０を、被覆部材２１の内面に対向するように２つ形成することにより、針基８をどのように取り付けても溝穴部２０と突起部３ｅが位置合わせできる。
【図面の簡単な説明】
【００２６】
【図１】（Ａ）、（Ｂ）はそれぞれ被覆姿勢の注射器の正面図、露出姿勢の注射器の正面図である。
【図２】（Ａ）、（Ｂ）はそれぞれ被覆姿勢の注射器の被覆部材を縦断面した注射器の正面図、針基をバレルに取り付ける前の参考図である。
【図３】（Ａ）、（Ｂ）はそれぞれ露出姿勢の注射器の被覆部材を縦断面した注射器の側面図、正面図である。
【図４】（Ａ）、（Ｂ）は図１（Ａ）のＸ−Ｘ断面図、図１（Ｂ）のＹ−Ｙ断面図である。
【図５】（Ａ）、（Ｂ）、（Ｃ）、（Ｄ）、（Ｅ）はそれぞれ被覆部材の正面図、側面図、正面縦断面図、側面縦断面図、図５（Ａ）のＺ−Ｚ断面図である。
【図６】（Ａ）、（Ｂ）はそれぞれ第二の実施の形態の被覆姿勢を示す正面図、露出姿勢を示す正面図である。
【図７】（Ａ）、（Ｂ）、（Ｃ）はそれぞれ第三の実施の形態を示す針部および被覆部材の参考図である。
【図８】（Ａ）、（Ｂ）、（Ｃ）、（Ｄ）はそれぞれ第四の実施の形態を示す針部および被覆部材の参考図である。
【図９】（Ａ）、（Ｂ）はそれぞれ第五の実施の形態を示す針部および被覆部材の参考図、医療用針の参考図である。
【符号の説明】
【００２７】
１        注射器
２        カートリッジ
３        バレル
３ｅ      突起部
４        指掛け部
５        ピストン
６        針部
７        針本体
８        針基
８ａ      先端側突出部
８ｂ      基端側突出部
８ｃ      仕切部
８ｄ      凹部
８ｆ      先部
９        被覆部材
９ａ      凸部
【図１】
2007319249.tif 000003
【図２】
2007319249.tif 000004
【図３】
2007319249.tif 000005
【図４】
2007319249.tif 000006
【図５】
2007319249.tif 000007
【図６】
2007319249.tif 000008
【図７】
2007319249.tif 000009
【図８】
2007319249.tif 000010
【図９】
2007319249.tif 000011